(57)【特許請求の範囲】
【請求項１】
地下貯留部の貯留水を取水するための取水装置であって、
装置内部を点検領域と取水領域とに単一の隔壁で区画すると共に、前記隔壁の下端と装置内部の底面とを離隔させて、点検領域と取水領域を前記隔壁の下方で連通させ、前記隔壁の下方を異物沈殿領域とし、
前記異物沈殿領域は、前記点検領域から前記取水領域に亘り、
点検領域は、地下貯留部と取水装置とを接続する接続口と、異物捕集手段を備え、
取水領域は、取水手段を備えている、
ことを特徴とする取水装置。
【請求項２】
異物捕集手段は点検領域の上部開口に対向して設けられ、異物捕集手段の上端が隔壁の下端と同じ高さ又はそれよりも上に位置している、ことを特徴とする請求項１に記載の取水装置。
【請求項３】
取水手段の下端が隔壁の下端よりも上に位置している、ことを特徴とする請求項１又は請求項２に記載の取水装置。
【請求項４】
地下貯留部の貯留水を取水するための取水装置であって、
上部に隔壁を設けて、内部を点検領域と取水領域とに区画すると共に、点検領域と取水領域を隔壁の下方で連通させ、
点検領域は、地下貯留部と取水装置とを接続する接続口と、異物捕集手段を備え、
取水領域は、取水手段を備え、
取水装置はＵ字状の管継手を有し、Ｕ字状の管継手の内側の側壁を隔壁の下端部分としている、ことを特徴とする取水装置。
【発明の詳細な説明】
【技術分野】
【０００１】
本発明は、地下貯留部の貯留水を取水するための取水装置に関し、更に詳しくは、異物等を除去して貯留水を取水できるメンテナンスの容易な取水装置に関する。
【背景技術】
【０００２】
地下貯留部の貯留水を取水する装置の一つとして、地下貯留部に接続された取水マスの下部に濁質を沈殿させる泥溜部を設けると共に、この泥溜部の上方に網目部材（異物捕集部材）によって区分された貯留部を設け、この貯留部に取水手段を配置したものが知られている（特許文献１）。
【０００３】
斯かる取水装置にあっては、地下貯留部から取水マスに流入した雨水が網目部材（異物捕集部材）、泥溜部を経由して、貯留部の取水手段により取水されるため、異物や濁質を含まない雨水を取水することができる。
【先行技術文献】
【特許文献】
【０００４】
【特許文献１】特開２０１０−０９０６０５号公報
【発明の概要】
【発明が解決しようとする課題】
【０００５】
しかしながら、上記特許文献１の取水装置のように、泥溜部の上方に設けた貯留部に取水手段が配置されていると、網目部材（異物捕集部材）や泥溜部の掃除を行う際には、まず貯留部から取水手段を取り外し、貯留部を通じて網目部材や泥溜部を掃除した後、取水手段を貯留部に戻す必要があるため、メンテナンスが容易でないという問題があった。また、内部点検を行う場合も、取水手段が邪魔になり、点検作業がし辛いという問題があった。
【０００６】
本発明は上記の問題に対処すべくなされたもので、その解決しようとする課題は、異物等を除去して地下貯留部から貯留水を取水できるメンテナンスや内部点検の容易な取水装置を提供することにある。そして、望ましい実施形態においては、装置全体をコンパクトに構成することも課題としている。
【課題を解決するための手段】
【０００７】
上記課題を解決するため、本発明に係る取水装置は、地下貯留部の貯留水を取水するための取水装置であって、装置内部を点検領域と取水領域とに単一の隔壁で区画すると共に、前記隔壁の下端と装置内部の底面とを離隔させて、点検領域と取水領域を前記隔壁の下方で連通させ、前記隔壁の下方を異物沈殿領域とし、前記異物沈殿領域は、前記点検領域から前記取水領域に亘り、点検領域が、地下貯留部と取水装置とを接続する接続口と、異物捕集手段を備え、取水領域が、取水手段を備えている、ことを特徴とするものである。
そして、本発明の具体的な実施形態に係る取水装置は、地下貯留部の貯留水を取水するための取水装置であって、上部に隔壁を設けて、内部を点検領域と取水領域とに区画すると共に、点検領域と取水領域を隔壁の下方で連通させ、点検領域が、地下貯留部と取水装置とを接続する接続口と、異物捕集手段を備え、取水領域が、取水手段を備え、取水装置がＵ字状の管継手を有し、Ｕ字状の管継手の内側の側壁を隔壁の下端部分としている、ことを特徴とするものである。
【０００８】
本発明の取水装置においては、異物捕集手段が点検領域の上部開口に対向して設けられ、異物捕集手段の上端が隔壁の下端と同じ高さ又はそれよりも上に位置していることが望ましい。
そして、取水手段の下端が隔壁の下端よりも上に位置していることも望ましい。
【発明の効果】
【０００９】
本発明の取水装置によれば、地下貯留部の貯留水が接続口から点検領域に流入し、流入した貯留水が異物捕集手段を通過して点検領域と連通する取水領域に移行する際に、貯留水に含まれる異物が異物捕集手段によって捕集除去されると共に、微細な異物が隔壁の下方の異物沈殿領域に沈殿し、取水領域に移行した異物を含まない貯留水が取水領域の取水手段によって装置外部に取水される。
そして、本発明の取水装置のように、上部に設けた隔壁によって内部が点検領域と取水領域に区画され、点検領域と取水領域が隔壁の下方で連通していると、取水領域の取水手段を取り外さなくても、点検領域の方から異物捕集手段の掃除や装置内部の掃除を行うことができるので、メンテナンスが容易であり、内部点検も点検領域を通して容易に行うことができる。
【００１０】
また、異物捕集手段が点検領域の上部開口に対向して設けられ、異物捕集手段の上端が隔壁の下端と同じ高さ又はそれよりも上に位置している取水装置は、点検領域の上部開口から、これに対向して設けられた異物捕集手段のメンテナンスを更に容易に行うことができるようになり、しかも、異物捕集手段の上端が隔壁の下端と同じ高さ又はそれよりも上に位置しているので、点検領域に流入した貯留水が異物捕集手段を経て取水領域に移行する際に、貯留水に含まれる異物を異物捕集手段によって確実に捕集、除去することができ、異物捕集手段の上端が隔壁の下端よりも下に位置する場合のように、隔壁の下端と異物捕集手段の上端との間から異物が隔壁の下方へ逃げるのを確実に防止することができる。
【００１１】
更に、取水手段の下端が隔壁の下端よりも上に位置している取水装置は、異物沈殿領域で沈殿した微細な異物が取水手段で吸い上げられる虞れがなくなる。
【００１２】
また、取水装置がＵ字状の管継手を有し、Ｕ字状の管継手の内側の側壁を隔壁の下端部分とする取水装置は、Ｕ字状の管継手を用いて装置全体をコンパクトなＵ字管状に構成することができ、しかも、Ｕ字管状の取水装置は内面に引っ掛かりがないのでメンテナンスも容易である。
【図面の簡単な説明】
【００１３】
【図１】本発明に係る取水装置の概略説明図である。
【図２】本発明に係る取水装置の具体的な一実施形態を示す断面図である。
【図３】地下貯留部の他の例を示す概略断面図である。
【図４】地下貯留部の他の例を示す概略平面図である。
【発明を実施するための形態】
【００１４】
以下、図面を参照して、本発明に係る取水装置を詳細に説明する。
【００１５】
図１は本発明に係る取水装置の概略説明図である。図示のように、本発明の取水装置１００は、地下貯留部２０に貯留された貯留水Ｗを地表に取水するための装置であって、装置内の上部には隔壁１が設けられており、この隔壁１によって槽形の装置内部が片側の点検領域２と反対側の取水領域３とに区画されている。そして、隔壁１の下端と装置内部の底面とが離隔して、点検領域２と取水領域３が隔壁１の下方で連通し、この隔壁１の下方の内部領域は異物沈殿領域４となっている。
【００１６】
点検領域２の外側壁には、地下貯留部２０と取水装置１００を接続する接続口５が形成されており、この接続口５には、地下貯留部２０からの送水管２１が差込み接続されている。また、点検領域２の下部には、異物捕集手段６が点検領域２の上部開口７（開閉可能な蓋８で閉じられた開口７）に対向して脱着可能に設けられており、この異物捕集手段６の上端は、隔壁１の下端よりも上に位置し、接続口５の下端よりも下に位置している。なお、異物捕集手段６の上端は、隔壁１の下端と同じ高さに位置していてもよい。
【００１７】
異物捕集手段６は、水や微細な異物Ｓ１を通すけれども粗い異物Ｓ２は通さない所謂フィルター材からなるものであって、粗い異物Ｓ２が異物捕集手段６と隔壁１との間や異物捕集手段６と外側壁との間を通り抜けて隔壁１の下方へ移行することのないように、点検領域２の下部の横断面形状と略同じ平面形状を有するフィルター材が使用されており、このフィルター材によって点検領域２が上下に分断されている。
【００１８】
異物捕集手段６を構成するフィルター材としては、金属製又は合成樹脂製のメッシュ体、網体、連続発泡体、不織布など、種々のものが使用され、粒径が１ｍｍ以上の粗い異物Ｓ２を通過させないで捕集できるものが好ましく使用される。このフィルター材の外形状は、点検領域２の下部の横断面形状と略同じ平面形状を有する限り特に制限されるものではなく、例えば、ブロック形状、板形状、シート形状、籠形状など、様々な外形状とすることができる。
【００１９】
隔壁１を挟んで点検領域２と反対側の取水領域３には、取水手段として取水ポンプ（不図示）に接続された取水管９が上方から挿入されており、取水ポンプを駆動すると、取水領域３内の貯留水が取水管９を通じて外部（地表）へ取水されるようになっている。そして、取水管９の下端は、異物沈殿領域４に沈殿している微細な異物Ｓ１を吸い上げないように、隔壁１の下端よりも上、つまり異物沈殿領域４の上方に位置している。
【００２０】
なお、取水管９は、図１では取水領域３の上部開口を覆う蓋８を貫通して取水領域３に挿入されているが、取水領域３の外側壁上部を貫通して挿入してもよいし、取水領域３の上壁（開口がない上壁）を貫通して挿入してもよい。また、取水ポンプ（不図示）は、地上に設置してもよいし、地中に格納してもよいし、後述する実施形態の取水装置のように取水領域３の内部に設置してもよい。
【００２１】
一方、地下貯留部２０は、家屋の屋根に降る雨水や排水溝を流れる雨水を導入して貯留できるものであればどのようなものでもよく、例えば、図１に示すような地下水槽や、図３，図４に示すような雨水貯留配管構造体などが、地下貯留部２０として設けられる。図１に示す地下貯留部２０（地下水槽）は、側壁上部にオーバーフロー管２２を設けており、また、図３，図４に示す雨水貯留配管構造体２００は、後述するように、堰部材２０５から溢れた過剰な貯留水Ｗが最も下流側の排水管２０３から排水されるので、取水装置１００の外側壁上部（点検領域２と取水領域３のいずれか一方又は双方の外側壁上部）にはオーバーフロー管を設けなくてもよいが、地下貯留部２０（地下水槽）や雨水貯留配管構造体２００における貯留水Ｗの急激な増水に備えて、取水装置１００の外側壁上部にオーバーフロー管を設け、過剰の貯留水Ｗを排出できるようにすることが望ましい。
なお、図３，図４に示す雨水貯留配管構造体２００については後で詳しく説明する。
【００２２】
以上のような構成の取水装置１００では、取水ポンプ（不図示）を駆動して取水領域３の内部の貯留水を取水管９の下端から吸い上げて外部に取水すると、それに伴って地下貯留部２０の貯留水Ｗが接続口５から点検領域２に流入し、流入した貯留水Ｗが異物捕集手段（フィルター材）６を通過する際に、貯留水Ｗに含まれる粗い異物Ｓ２が異物捕集手段６の上面で捕集、除去される。このとき、異物捕集手段６の上端は、隔壁１の下端よりも上（又は下端と同じ高さ）に位置し、接続口５の下端よりも下に位置するため、異物捕集手段６の上端が隔壁１の下端よりも下に位置する場合のように、隔壁１の下端と異物捕集手段６の上端との間から粗い異物Ｓ２が隔壁１の下方へ逃げたり、異物捕集手段６の上端が接続口５の下端よりも上に位置する場合のように、接続口５の下部が異物捕集手段６で塞がれて粗い異物Ｓ２が接続口５の下部に溜まったりすることがなく、確実に異物捕集手段６の上面で粗い異物Ｓ２を捕集して除去することが可能となる。そして、異物捕集手段６を通過した貯留水Ｗが取水領域３に移行するまでに、貯留水Ｗに含まれる微細な異物Ｓ１が隔壁１の下方の異物沈殿領域４に沈殿して除去され、取水領域３まで移行した異物を含まない貯留水Ｗが取水管９の下端から吸い上げられて装置外部に取水される。このとき、取水管９の下端は隔壁１の下端よりも上、つまり異物沈殿領域４の上方に位置しているので、異物沈殿領域４に沈殿している微細な異物Ｓ１を貯留水Ｗと一緒に吸い上げる心配はない。
【００２３】
また、この取水装置１００は、装置内の上部の隔壁１により、装置内部を片側の点検領域２と反対側の取水領域３とに区画して、取水領域３に取水手段９（取水管）を設けているため、メンテナンスの際に取水領域３から取水手段９を取り除く必要がなく、点検領域２の上部の蓋８を開けて、上部開口７と対向して点検領域２に設けられた異物捕集手段（フィルター材）６を、上部開口７から簡単に取り出して掃除することができ、更に、点検領域２を通して異物沈殿領域４などの装置内部の掃除も簡単に行うことができるので、メンテナンスが容易である。そして、内部点検も点検領域２を通して容易に行うことができる。
【００２４】
なお、異物捕集手段６は、異物沈殿領域４を左右に分断するように、隔壁１の下方に設けることも可能であり、そのようにしても粗い異物Ｓ２を捕集することができる。
【００２５】
図２は本発明に係る取水装置の具体的な一実施形態を示す断面図である。
【００２６】
この実施形態の取水装置１０１は、Ｔ字状三方管継手１１の上端の接続口１１ａと下端の接続口１１ｂに、短い直管１３の下端部と短い直管１４の上端部をそれぞれ差込み接続し、Ｕ字状管継手１２の左右上端の接続口１２ａ，１２ｂに、短い直管１４の下端部と長い直管１５の下端部をそれぞれ差込み接続することによって、図示のごとき縦長のＵ字管状のコンパクトな装置本体を形成したものであって、このＵ字管状の装置本体の内側の側壁（管壁）が前述の隔壁１に該当し、Ｕ字状管継手１２の内側の側壁が該隔壁１の下端部分となっている。
【００２７】
そして、長い直管１５とＵ字状管継手１２の右上部の連続した内部領域は取水領域３となっており、直管１３とＴ字状三方管継手１１と直管１４とＵ字状管継手１２の左上部の連続した内部領域は点検領域２となっていて、これらの点検領域２と取水領域３は、隔壁１の下方、つまり、異物沈殿領域４となるＵ字状管継手１２の下部で連通している。更に、直管１３，１５の上端には、蓋受部材１０，１０を介して蓋８，８が開閉可能に取付けられており、これらの蓋８，８によって点検領域２と取水領域３の上部開口７，７が閉じられている。また、Ｔ字状三方管継手１１の側部の接続口１１ｃは、地下貯留部からの送水管２１を接続する前述の接続口５となっている。
【００２８】
点検領域２における直管１４の管内上部には、前述の異物捕集手段６（フィルター材）が点検領域２の上部開口７に対向して、点検領域２を上下に分断するように、保持部材１６で脱着可能に取付けられており、この異物捕集手段６の上端は、隔壁１の下端よりも上に位置し、接続口１１ｃ（５）の下端よりも下に位置している。従って、送水管２１から点検領域２に流入した貯留水が異物捕集手段６を通過するときに、前述したように、貯留水に含まれている粗い異物を異物捕集手段６の上面で確実に捕集して除去できるようになっている。なお、異物捕集手段６の上端は、隔壁１の下端と同じ高さに位置してもよい。
【００２９】
上記の保持部材１６は、図２に示すように、垂直片の上端部を外側に直角に折り曲げて係止片を形成すると共に、垂直片の下端部を内側に直角に折り曲げて保持片を形成したものであって、直管１４の上部内面に沿って該保持部材１６を周方向に間隔をあけて複数個配置し、各保持部材１６の係止片を直管１４の上端とＴ字状三方管継手１１の接続口１１ｂの奥端当止部との隙間に挿入、係止させて各保持部材１６を固定し、これらの保持部材１６の内側に嵌め込まれた異物捕集手段６を各保持部材１６の保持片で下方から保持することによって、異物捕集手段６を脱着可能に取付けるものである。このような保持部材１６で異物捕集手段６を取付けると、異物捕集手段６を上方に引き上げるだけで簡単に取り出すことができるので、メンテナンスが更に容易になる。
なお、異物捕集手段６の保持部材は、点検領域２内で貯留水の流下を妨げることなく異物捕集手段６を脱着可能に保持できるものであれば、どのような構造のものでも使用可能である。また、異物捕集手段６を上方に引き上げるための取っ手を設けてもよい。その場合、取っ手の一端を異物捕集手段６に取り付け、他端を点検領域２の上部開口７付近に位置させることで、蓋８を開けて取っ手の他端を上方に引き上げるだけで、異物捕集手段６を上方に引き上げることができる。
【００３０】
また、取水領域３には、取水手段として、取水ポンプＰを途中に設けた取水管９が上部開口７の蓋８を通して挿入されており、取水ポンプＰが取水領域３内に収容されている。そして、取水管９の下端は、異物沈殿領域４に沈殿している微細な異物を吸い上げないように、隔壁１の下端よりも上、つまり異物沈殿領域４の上方に位置している。従って、取水ポンプＰを駆動すると、取水領域３の異物を含まない貯留水が取水管９から吸い上げられて、地上における貯留水の利用場所まで送水され、利用場所で有効に利用される。
【００３１】
取水装置１０１を構成するＴ字状三方管継手１１、Ｕ字状管継手１２、直管１３，１４，１５、蓋８、蓋受部材１０などは、いずれも塩化ビニル樹脂などの合成樹脂で成形されたものが好ましく使用される。
【００３２】
この実施形態の取水装置１０１の接続口１１ｃ（５）には、地下貯留部として図３の概略断面図及び図４の概略平面図に示すような雨水貯留配管構造体２００が接続されている。
この雨水貯留配管構造体２００は、複数の雨水桝２０１を間隔をあけて地面に埋設し、起点に位置する雨水桝２０１に、屋根に降った雨を流入させる流入管２０２を接続すると共に、雨水桝２０１同士を排水管２０３によって流れ勾配をつけて、又は、流れ勾配をつけないで互いに連結し、終点に位置する雨水桝２０１の内部に突入した排水管２０３の先端に、底部に栓２０４を有する有底筒状の堰部材２０５を取付けたものであって、中間の雨水桝２０１には送水管２１が接続されており、この送水管２１が取水装置１０１の接続口１１ｃ（５）に差込み接続されるようになっている。なお、送水管２１は、起点に位置する雨水桝２０１に接続してもよいし、雨水桝同士を連結する排水管２０３から分岐して設けてもよい。
【００３３】
このような雨水貯留配管構造体２００では、水面が堰部材２０５の上端開口の高さになるまで、貯留水Ｗ（雨水）が流入管２０２、終点の雨水桝２０１を除く各雨水桝２０１、各排水管２０３の内部に貯留され、この貯留水Ｗが送水管２１を通って取水装置１０１の点検領域２に流入するようになっている。そして、この雨水貯留配管構造体２００のメンテナンスを行うときは、堰部材２０５の底部の栓２０４を抜いて貯留水Ｗを終点の雨水桝２０１の内部へ流出させ、最も下流側の排水管２０３から排水することによって、雨水桝２０１同士を連結する排水管２０３（貯留管）を空にできるようになっている。
なお、終点の雨水桝２０１は、側壁や底壁に孔の開いた浸透桝でもよい。
【００３４】
この雨水貯留配管構造体２００は、堰部材２０５から溢れた過剰な貯留水Ｗが最も下流側の排水管２０３から排水されるので、取水装置１０１の直管１３の外側壁や直管１５の外側壁上部にオーバーフロー管（不図示）を設けなくてもよいが、最も下流側の排水管２０３がない場合は、オーバーフロー管を取水装置１０１に設けて過剰の貯留水をオーバーフローさせることが必要になる。
【００３５】
以上のような構成の取水装置１０１も、雨水貯留配管構造体２００の送水管２１から点検領域２に流入した貯留水が異物捕集手段（フィルター材）６を通過する際に、貯留水に含まれる粗い異物が異物捕集手段６の上面で確実に捕集、除去され、異物捕集手段６を通過した貯留水が取水領域３に移行するまでに、貯留水に含まれる微細な異物が隔壁１の下方の異物沈殿領域４（Ｕ字状管継手１２の下部）に沈殿して除去される。そして、取水ポンプＰを駆動すると、取水領域３まで移行した異物を含まない貯留水が取水管９の下端から吸い上げられ、地上の利用場所まで送水されて有効に利用される。
【００３６】
また、この取水装置１０１も、片側の点検領域２と反対側の取水領域３とに区画され、取水領域３に取水手段として取水ポンプＰを有する取水管９が設けられているため、メンテナンスの際に取水領域３の取水手段を取り除かないで、点検領域２の上部の蓋８を開けて、異物捕集手段６を簡単に取り出して掃除することができ、点検領域２を通して更に異物沈殿領域４などの装置内部の掃除も簡単に行うことができるので、メンテナンスが容易である。そして、内部点検も点検領域２を通して容易に行うことができる。
【００３７】
更に、この取水装置１０１は、Ｔ字状三方管継手１１、Ｕ字状管継手１２、直管１３，１４，１５などの配管部材を用いて、縦長のＵ字管状の装置本体を形成しているため、装置のコンパクト化を図ることができ、しかも、Ｕ字管状の装置本体は内面に引っ掛かりがないので、メンテナンスが一層容易になるという利点もある。
【符号の説明】
【００３８】
１    隔壁
２    点検領域
３    取水領域
４    異物沈殿領域
５    地下貯留部と取水装置との接続口
６    異物捕集手段（フィルター材）
７    点検領域の上部開口
９    取水手段（取水管）
１１  Ｔ字状三方管継手
１２  Ｕ字状管継手
１３，１４，１５  直管
２０  地下貯留部（地下水槽）
２１  地下貯留部からの送水管
９０  取水手段（取水ポンプ）
１００，１０１  取水装置
２００  地下貯留部（雨水貯留配管構造体）
Ｗ    貯留水
Ｓ１  微細な異物
Ｓ２  粗い異物
【図１】
0006471993.tif 000002
【図２】
0006471993.tif 000003
【図３】
0006471993.tif 000004
【図４】
0006471993.tif 000005